(57)【特許請求の範囲】
【請求項１】
病院内における看護師の行動履歴情報を記憶した履歴情報記憶部から、上記行動履歴情報を取得する履歴情報取得部と、
上記履歴情報取得部により取得された上記行動履歴情報に基づいて、上記病院内において上記看護師が訪問した場所、訪問回数および滞在時間を分析する行動分析部と、
上記病院内の各場所の配置を表したレイアウト画像上に、上記行動分析部により分析された訪問場所、訪問回数および滞在時間を所定の描画により表示する表示制御部とを備え、
上記表示制御部は、上記レイアウト画像上における上記訪問場所に対して上記所定の描画を行い、当該描画の表示態様を、上記訪問回数を軸とする第１のパターン変化および上記滞在時間を軸とする第２のパターン変化に従って可変設定することを特徴とする行動状況可視化装置。
【請求項２】
上記表示制御部は、上記第１のパターン変化として色変化または着色面積変化の一方を用い、上記第２のパターン変化として上記色変化または上記着色面積変化の他方を用いて、上記訪問回数および上記滞在時間に応じた色と着色面積とを設定し、上記所定の描画として上記訪問場所の着色を行うことを特徴とする請求項１に記載の行動状況可視化装置。
【請求項３】
上記表示制御部は、上記第１のパターン変化として色変化または着色濃度変化の一方を用い、上記第２のパターン変化として上記色変化または上記着色濃度変化の他方を用いて、上記訪問回数および上記滞在時間に応じた色と着色濃度とを設定し、上記所定の描画として上記訪問場所の着色を行うことを特徴とする請求項１に記載の行動状況可視化装置。
【請求項４】
上記表示制御部は、上記所定の描画として上記訪問場所の中に図形の表示を行い、上記第１のパターン変化として上記図形の大きさ変化または上記図形に対する着色の色変化の一方を用い、上記第２のパターン変化として上記図形の大きさ変化または上記図形に対する着色の色変化の他方を用いて、上記訪問回数および上記滞在時間に応じた大きさと色とを設定して、上記訪問場所の中に上記図形を表示することを特徴とする請求項１に記載の行動状況可視化装置。
【請求項５】
上記行動分析部は、上記履歴情報取得部により取得された上記行動履歴情報に基づいて、上記看護師が上記訪問場所に所定時間以上継続して滞在した場合に上記滞在時間として計算する一方、上記看護師が上記訪問場所に所定時間以上継続して滞在したか否かにかかわらず上記訪問回数を計算することを特徴とする請求項１〜４の何れか１項に記載の行動状況可視化装置。
【発明の詳細な説明】
【技術分野】
【０００１】
本発明は、行動状況可視化装置に関し、特に、病院内における看護師の行動状況を表す値を集計して、その集計結果をビジュアル的に可視化して表示する装置に用いて好適なものである。
【背景技術】
【０００２】
従来、病院内における看護師の移動の軌跡である動線を検出して表示できるようにした技術が知られている（例えば、特許文献１，２参照）。看護師の動線を導出することにより、看護業務において看護師が病院内でどのような動きをするのかを正確に把握することができる。そして、看護師の無駄な動きを見出すことにより、業務効率の改善を図ることが可能となる。
【０００３】
特許文献１には、病院内の複数の場所（例えば、病室、診察室等）に設置された装置（例えば、タグリーダ装置）により、看護師が携帯する装置（例えば、無線ＩＤタグ）を検出し、看護師が訪れた複数の位置を記録することにより、看護師の動線を導出することが記載されている。また、特許文献２には、看護師がある病室の各患者を検温した際の移動経路を動線で表すとともに、各病床位置での滞留時間を点の大きさで表した病室マップを表示することが記載されている。
【０００４】
ところで、看護師が行う業務には、ナースコールへの対応業務、担当患者に対する看護業務、医師に対するサポート業務、看護記録業務など様々なものがある。ナースコールへの対応業務については、担当患者からのナースコールに対応する場合はもちろん、担当外の患者からのナースコールに対してヘルプ対応する場合もある。
【０００５】
このような多様な業務を効率的に行えているかどうかを検証するために、看護師の動線を可視化して表示することが考えられるが、終日あるいは所定期間の動線を全て表示すると、表示される動線が入り乱れて見づらくなる。なお、同じ受信機でＩＣタグの現在位置を繰り返し受信した場合に、再び受信したところまでの軌跡を除いて移動の軌跡を表示することにより、簡潔な表示を行って表示画面を見易くする技術が知られている（例えば、特許文献３参照）。しかし、これでは看護師の全ての動線を正しく把握することができなくなるので、看護師の業務状況を把握する点では不十分である。
【０００６】
人の位置履歴から行動に係る情報を取得して可視化するシステムの別の例として、位置を表す２次元平面に時間の要素を加えて表示し、複数の場所をどのような経路で何度訪問したかを一見して把握できるようにした技術も知られている（例えば、特許文献４参照）。この特許文献４には、ユーザの１回の旅行で滞在した場所を２重の円で表し、その間の移動経路を線で表すとともに、滞在場所の滞在時間の合計を円の半径として表し、さらに各滞在場所を訪問した回数を円の横に文字で示した世界地図を表示することが記載されている。
【０００７】
また、移動端末がある期間内にある商業エリアを訪れた頻度（平均訪問頻度）を算出し、さらに、移動端末がその商業エリアを訪れたときの滞在時間（平均滞在時間）を算出して、算出した頻度（平均訪問頻度）と滞在時間（平均滞在時間）を同時にグラフ表示する技術も知られている（例えば、特許文献５参照）。具体的には、平均訪問頻度を横軸とし、平均滞在時間を縦軸としたグラフを表示することが記載されている。
【０００８】
上記特許文献４に記載の技術は、１回の旅行における移動履歴を可視化するには適しているが、多くの場所を訪問して多様な業務を行う看護師の業務状況を可視化するには不向きである。看護師の滞在する場所（病室、診察室、ナースステーション等）が多く、色々な場所に何度も訪問することが通常であるため、特許文献４に示される滞在場所を表す円、移動経路を表す線、訪問回数を表す数字の全てを病院レイアウトマップ上に表示させることは困難であり、仮に表示させても煩雑となって見にくくなってしまうからである。
【０００９】
また、上記特許文献５に記載の技術は、特定の場所に対する平均訪問頻度と平均滞在時間とを２次元座標上にマッピングしてグラフ表示するに過ぎない。すなわち、平均訪問頻度と平均滞在時間とを地図上に可視化して表示するものではない。そのため、この特許文献５に記載の技術を看護業務の可視化に適用しても、病院内のどの場所に何度訪問してどの程度の時間を滞在したのかが一見して把握できず、分かりにくい。
【先行技術文献】
【特許文献】
【００１０】
【特許文献１】特開２０１５−２１０７０１号公報
【特許文献２】特開２０１２−１１３６４８号公報
【特許文献３】特開２００８−５９１７４号公報
【特許文献４】特開２０１１−１１８６４８号公報
【特許文献５】特開２０１５−１９７６９６号公報
【発明の概要】
【発明が解決しようとする課題】
【００１１】
本発明は、このような問題を解決するために成されたものであり、病院内における看護師の行動状況を表す値を集計して、その集計結果をビジュアル的に可視化して表示するシステムにおいて、看護師が病院内のどの場所に何度訪問して、それぞれの場所でどの程度の時間を滞在したのかをユーザが一見して把握できるようにすることを目的とする。
【課題を解決するための手段】
【００１２】
上記した課題を解決するために、本発明では、病院内における看護師の行動履歴情報に基づいて、病院内において看護師が訪問した場所、訪問回数および滞在時間を分析し、分析された訪問場所、訪問回数および滞在時間を、病院内の各場所の配置を表したレイアウト画像上に所定の描画によって表示するようにしている。このとき、訪問回数を軸とする第１のパターン変化および滞在時間を軸とする第２のパターン変化に従って、所定の描画の表示態様を可変設定するようにしている。
【発明の効果】
【００１３】
上記のように構成した本発明によれば、病院内の各場所の配置を表したレイアウト画像上で、看護師が訪問した場所に所定の描画が行われるので、看護師が病院内のどの場所に訪問したのかを一見して把握することが可能となる。また、訪問した場所に表示される所定の描画の表示態様が、訪問回数を軸とする第１のパターン変化および滞在時間を軸とする第２のパターン変化に従って可変設定されるので、描画の表示態様によって、各場所に対する訪問回数と滞在時間とを同時に把握することが可能となる。これにより、看護師が病院内のどの場所を何度訪問してどの程度の時間を滞在したのかをユーザが一見して把握することができる。
【図面の簡単な説明】
【００１４】
【図１】本実施形態による行動状況可視化装置の機能構成例を示すブロック図である。
【図２】本実施形態の行動状況可視化装置を適用した位置検出システムのハードウェア構成例を示す図である。
【図３】病院内のレイアウトにおいて複数のＡＰの配置例を示した図である。
【図４】本実施形態によるヒートマップ表示（１つの病室に関するもの）の一例を示す図である。
【図５】本実施形態によるヒートマップ表示（病院レイアウト全体に関するもの）の一例を示す図である。
【図６】本実施形態によるヒートマップ表示（１つの病室に関するもの）の他の例を示す図である。
【発明を実施するための形態】
【００１５】
以下、本発明の一実施形態を図面に基づいて説明する。図１は、本実施形態による行動状況可視化装置の機能構成例を示すブロック図である。図２は、本実施形態の行動状況可視化装置を適用した位置検出システムのハードウェア構成例を示す図である。
【００１６】
図２に示す位置検出システムは、病院内の複数の場所に設置された受信装置（例えば、タグリーダ装置または無線受信機など）により、看護師が携帯する発信装置（例えば、無線ＩＤタグまたは無線発信機など）から発信される信号を受信し、信号を受信した受信装置の位置を逐次記録することにより、看護師が移動した位置を行動履歴情報として蓄積することができるようにしたものである。  
【００１７】
図２に示すように、本実施形態の位置検出システムは、看護師が所持する無線ＩＣタグ１０と、病院内の複数の場所（例えば、病室、ナースステーション、診察室、廊下等）に設置された無線ＬＡＮのアクセスポイント（ＡＰ）２０と、無線ＩＣタグ１０（これを所持する看護師）の存在位置を検出する端末３０とを備えて構成されている。
【００１８】
無線ＩＣタグ１０は、一定間隔で信号を発信する可搬型の無線発信機の一例である。例えば、無線ＩＣタグ１０は、ＢＬＥ（Bluetooth Low Energy：Bluetoothは登録商標）の発信機能を有しており、タグアドレスを含んだ信号を一定間隔で発信する。なお、図２では簡略的に無線ＩＣタグ１０を１つのみ図示しているが、実際には看護師の数だけ存在する。
【００１９】
ＡＰ２０は、無線ＩＣタグ１０から発信された信号を受信する無線受信機の一例である。ＡＰ２０は、無線ＩＣタグ１０から受信した信号に含まれているタグアドレスに加え、自身のＡＰアドレスを端末３０に送信する。なお、図２では簡略的にＡＰ２０を１つのみ図示しているが、実際には病院内の複数箇所に設置されている。このうち、ＢＬＥの通信圏内にあるＡＰ２０だけが無線ＩＣタグ１０から信号を受信する。そして、無線ＩＣタグ１０から信号を受信したＡＰ２０が、タグアドレスおよびＡＰアドレスを含む情報を端末３０に送信する。
【００２０】
図３は、病院内のレイアウトにおいて複数のＡＰ２０の配置例を示した図である。図３に示す病院レイアウトでは、複数の病室３０１〜３１０、ナースステーション３１１、診察室３１２および廊下３１３が存在する。ＡＰ２０は、複数の病室３０１〜３１０、ナースステーション３１１、診察室３１２および廊下３１３のそれぞれに設置されている。すなわち、病室３０１〜３１０、ナースステーション３１１、診察室３１２の各部屋内に１つずつＡＰ２０が設置されるとともに、廊下３１３の複数箇所にＡＰ２０が設置されている。
【００２１】
なお、ＡＰ２０と端末３０との間は、例えば有線のＬＡＮケーブル等で接続されている。または、複数のＡＰ２０どうしを無線で接続するとともに、図示しない中継装置を更に備えて当該中継装置と端末３０との間を有線で接続するようにしてもよい。この場合、複数のＡＰ２０からリレー形式で情報を中継装置に伝達し、複数のＡＰ２０から伝達された情報を一括して中継装置から端末３０に送信する。なお、複数のＡＰ２０と端末３０との間の接続形態は任意であり、本発明は特定の接続形態に限定されるものではない。
【００２２】
端末３０は、ＡＰ２０から送信される情報に含まれているタグアドレスおよびＡＰアドレスに基づいて、どの看護師（無線ＩＣタグ１０）がどの場所にいるかを検出する。すなわち、端末３０は、ＡＰ２０から受信した情報の中に含まれているＡＰアドレスで示されるＡＰ２０が存在する場所に、タグアドレスで示される無線ＩＣタグ１０が存在することを検出する。端末３０は、タグアドレスおよびＡＰアドレスを受信時刻とともにデータベースに逐次記録することにより、看護師が移動した位置を行動履歴情報として蓄積する。
【００２３】
なお、無線ＩＣタグ１０のＢＬＥの通信圏内に複数のＡＰ２０が存在する場合は、当該複数のＡＰ２０が１つの無線ＩＣタグ１０から信号を受信する。この場合、端末３０が複数のＡＰ２０から受信する情報の中には、同じタグアドレスを含むものが複数存在することになる。この場合、端末３０は、それらのタグアドレスと共に送信されたＡＰアドレスで示される複数のＡＰ２０の中から何れか１つを特定し、特定したＡＰ２０が存在する場所に、タグアドレスで示される無線ＩＣタグ１０が存在することを検出する。
【００２４】
具体的には、端末３０は、それぞれのＡＰ２０からタグアドレスおよびＡＰアドレスと共に送られてくる受信電界強度（各ＡＰ２０で検出される）に基づいて、何れか１つのＡＰ２０を特定する。例えば、受信電界強度が最も大きいＡＰ２０を特定する。そして、その特定したＡＰ２０が存在する場所に無線ＩＣタグ１０が存在することを検出する。
【００２５】
端末３０は、以上のように蓄積した行動履歴情報に基づいて、看護師の行動状況を分析し、その結果を可視化して表示する機能を備えている。この機能を提供するのが本実施形態の行動状況可視化装置１００であり、その機能構成を図１に示している。なお、ここでは看護師の行動履歴情報を蓄積する機能と、その行動履歴情報から分析した行動状況を可視化して表示する機能との両方を同じ端末３０が備える構成としたが、別の端末に備える構成としてもよい。
【００２６】
図１に示すように、本実施形態の行動状況可視化装置１００は、その機能構成として、履歴情報取得部１１、行動分析部１２、表示制御部１３、看護師指定部１４および期間指定部１５を備えている。また、本実施形態の行動状況可視化装置１００には、データベースとしての履歴情報記憶部３１が接続されている。
【００２７】
上記各機能ブロック１１〜１５は、ハードウェア、ＤＳＰ（Digital Signal Processor）、ソフトウェアの何れによっても構成することが可能である。例えばソフトウェアによって構成する場合、上記各機能ブロック１１〜１５は、実際にはコンピュータのＣＰＵ、ＲＡＭ、ＲＯＭなどを備えて構成され、ＲＡＭやＲＯＭに記憶されたプログラムが動作することによって実現される。なお、当該プログラムは、ハードディスクや半導体メモリ等の他の記録媒体に記憶されていてもよい。
【００２８】
履歴情報記憶部３１は、病院内における看護師の行動履歴情報を記憶する。履歴情報取得部１１は、履歴情報記憶部３１から行動履歴情報を取得する。例えば、ユーザが端末３０の操作部を操作することにより、看護師の行動状況を可視化して表示することを指示したときに、履歴情報取得部１１が履歴情報記憶部３１から行動履歴情報を取得する。
【００２９】
ここで、履歴情報取得部１１は、ユーザによる操作部の操作を通じて看護師指定部１４によって指定された所望の看護師に関する行動履歴情報を履歴情報記憶部３１から選択的に取得する。すなわち、看護師指定部１４は、ユーザによる操作部の操作を通じて、ヒートマップ表示を行う対象の看護師を指定する。履歴情報取得部１１は、看護師指定部１４により指定された看護師に関する行動履歴情報を履歴情報記憶部３１から選択的に取得する。
【００３０】
また、履歴情報取得部１１は、ユーザによる操作部の操作によって指定された所望の期間（例えば、特定の１日、数日、あるいは数時間など）の行動履歴情報を履歴情報記憶部３１から取得する。すなわち、期間指定部１５は、ユーザによる操作部の操作を通じて、ヒートマップ表示を行う対象の期間を指定する。履歴情報取得部１１は、期間指定部１５により指定された期間に関する行動履歴情報を履歴情報記憶部３１から選択的に取得する。
【００３１】
行動分析部１２は、履歴情報取得部１１により取得された行動履歴情報に基づいて、病院内において看護師が訪問した場所、訪問回数および滞在時間を分析する。すなわち、行動分析部１２は、図３に示した複数の病室３０１〜３１０、ナースステーション３１１、診察室３１２、廊下３１３のうちどの場所に看護師が訪問したか、何回訪問したか、合計で何時間滞在したかを分析する。
【００３２】
表示制御部１３は、病院内の各場所の配置を表したレイアウト画像上に、行動分析部１２により分析された訪問場所、訪問回数および滞在時間を可視化して表示する。ここで、表示制御部１３は、レイアウト画像上における訪問場所に対して所定の描画を行うことにより、訪問場所、訪問回数および滞在時間を可視化して表示する。所定の描画の一例として、本実施形態では、ヒートマップ表示を行う。
【００３３】
通常のヒートマップ表示では、集計値の大きさに応じて、表示色等の表示態様を可変設定する。例えば、訪問回数についてヒートマップ表示を行うために、訪問回数に応じたｎ段階の表示色をあらかじめ決めておく。そして、ユーザが訪問回数のヒートマップ表示を指示すると、レイアウト画像上の各場所を、訪問回数の集計値に応じた表示色でそれぞれ表示することにより、訪問回数のヒートマップ表示を行う。
【００３４】
滞在時間についてヒートマップ表示を行う場合も同様である。すなわち、滞在時間についてヒートマップ表示を行うために、滞在時間に応じたｎ段階の表示色をあらかじめ決めておく。そして、ユーザが滞在時間のヒートマップ表示を指示すると、レイアウト画像上の各場所を、滞在時間の集計値に応じた表示色でそれぞれ表示することにより、滞在時間のヒートマップ表示を行う。
【００３５】
これに対して、本実施形態では、ヒートマップの表示態様を、訪問回数を軸とする第１のパターン変化および滞在時間を軸とする第２のパターン変化に従って可変設定する。例えば、表示制御部１３は、第１のパターン変化として色変化を用い、第２のパターン変化として着色面積変化を用いて、訪問回数および滞在時間の各集計値に応じた色と着色面積を設定し、その設定内容に従って各訪問場所を着色することによってヒートマップ表示を行う。
【００３６】
具体的には、訪問回数を軸とする第１のパターン変化として、訪問回数が少ないほど寒色系（例えば、青系）となり、訪問回数が多いほど暖色系（例えば、赤系）となるような色変化に従って、各訪問場所の表示色を設定する。また、滞在時間を軸とする第２のパターン変化として、滞在時間が短いほど着色面積が小さくなり、滞在時間が長いほど着色面積が大きくなるような着色面積変化に従って、各訪問場所の着色面積を設定する。
【００３７】
なお、訪問回数および滞在時間と、色変化および着色面積変化との割り当てを逆にしてもよい。すなわち、訪問回数に関する第１のパターン変化として着色面積変化を用い、滞在時間に関する第２のパターン変化として色変化を用いて、訪問回数および滞在時間の各集計値に応じた色と着色面積を設定し、その設定内容に従って各訪問場所を着色することによってヒートマップ表示を行うようにしてもよい。
【００３８】
図４は、本実施形態によるヒートマップ表示の一例を示す図である。なお、図４では、１つの病室の表示例を示している。また、図４では図示の便宜上、表示色の違いを網掛けの違いで表している。図４（ａ）は、訪問回数が比較的少ないため表示色が寒色系に設定され、滞在時間が比較的短いため着色面積が小さく設定されて表示された状態を示している。これに対し、図４（ｂ）は、訪問回数が比較的多いため表示色が暖色系に設定され、滞在時間が比較的長いため着色面積が大きく設定されて表示された状態を示している。
【００３９】
図４の例では、滞在時間が長くなるに従い、病室を表す矩形領域の外周から中心点に向かって徐々に、着色部が同心状に大きくなるような態様でヒートマップ表示を行っている。例えば、滞在時間の長さに応じて着色面積をｎ段階に分類し、分類された着色面積でヒートマップ表示を行う。ナースステーションや診察室、廊下についても同様の表示を行う。なお、場所によって矩形領域の形状が異なるが、それぞれの形状に合わせて同心状に着色面積を変えてヒートマップ表示を行う。このようにすることより、レイアウト画像上に表示された各場所の表示形状に合わせて、着色面積の大きさを分かりやすく提示することができる。
【００４０】
表示色に関しても同様に、訪問回数の多さに応じて表示色を寒色系から暖色系までｎ段階に分類し、分類された表示色でヒートマップ表示を行う。なお、ここでは寒色系および暖色系の表示色を用いる例について説明しているが、寒色系のみまたは暖色系のみの表示色でｎ段階のヒートマップ表示を行うようにしてもよい。
【００４１】
なお、着色面積の変化パターンは、図４に示した例に限定されない。例えば、滞在時間が長くなるに従い、病室を表す矩形領域の中心点から外周に向かって徐々に、着色部が同心状に大きくなるような態様でヒートマップ表示を行うようにしてもよい。別の例として、矩形領域の一辺から対向する辺へ向かう方向、あるいは、矩形領域の一点からその対角点へ向かう方向に、着色部が徐々に大きくなるような態様でヒートマップ表示を行うようにしてもよい。
【００４２】
図５は、図４のような表示態様のパターン変化に従って各訪問場所を描画したレイアウト画像全体のヒートマップ表示例を示す図である。このようなヒートマップ表示を行うことにより、看護師が病院内のどの場所に訪問したのか、また、訪問した場所に対する訪問回数と滞在時間とを同時に把握することが可能となる。これにより、看護師が病院内のどの場所を何度訪問してどの程度の時間を滞在したのかをユーザが一見して把握することができる。
【００４３】
例えば、看護師の担当患者または担当外患者の病室への訪問回数と滞在時間とを同時に確認することにより、適正な動きをしているかどうかを一見して容易に把握することが可能である。また、訪問回数が多いにもかかわらず滞在時間が短い場合に、ナースコールの誤報によって無駄な動きをしている可能性があると推察して子機の設置法を見直したり、訪問回数が少ないにもかかわらず滞在時間が長い場合に、看護業務が迅速に行われていない可能性があると推察して看護師の指導方法を再考したりするといったことも可能となる。
【００４４】
以上詳しく説明したように、本実施形態では、行動分析部１２により分析された訪問場所、訪問回数および滞在時間をレイアウト画像上にヒートマップ表示する際に、訪問回数を軸とする第１のパターン変化および滞在時間を軸とする第２のパターン変化に従ってヒートマップの表示態様を可変設定するようにしている。これにより、２種類のパターン変化に従って可変設定されるヒートマップの表示態様によって、各場所に対する訪問回数と滞在時間とを同時に把握することが可能となり、看護師が病院内のどの場所を何度訪問してどの程度の時間を滞在したのかをユーザが一見して把握することができる。
【００４５】
なお、行動分析部１２が行う分析内容として、例えば、看護師が１つの訪問場所に所定時間以上継続して滞在したことが行動履歴情報により示されている場合に、滞在時間として計算する一方、看護師が１つの訪問場所に所定時間以上継続して滞在したか否かにかかわらず、訪問回数を計算するようにしてもよい。このようにすれば、ヒートマップ表示を確認することで、病室等で実際に看護業務が行われている場合の滞在時間を把握するとともに、ナースコールの誤報も含めた全体の訪問回数を把握することができる。これにより、ナースコールの誤報が多く発生している病室に関しては、訪問回数が多いにもかかわらず滞在時間が短くなる傾向が強くなるので、誤報による看護師の無駄な動きを発見しやすくなる。
【００４６】
なお、訪問回数と滞在時間に割り当てるヒートマップ表示の変化パターンは、上記実施形態に示した例に限定されない。例えば、表示制御部１３は、訪問回数に関する第１のパターン変化として色変化または着色濃度変化の一方を用い、滞在時間に関する第２のパターン変化として色変化または着色濃度変化の他方を用いて、訪問回数および滞在時間に応じた色と着色濃度を設定し、ヒートマップ表示としてレイアウト画像上の各訪問場所の着色を行うようにしてもよい。
【００４７】
あるいは、表示制御部１３は、図６に示すように、所定の描画として各訪問場所の中に図形の表示を行い、訪問回数に関する第１のパターン変化として図形の大きさ変化または図形に対する着色の色変化の一方を用い、滞在時間に関する第２のパターン変化として図形の大きさ変化または図形に対する着色の色変化の他方を用いて、訪問回数および滞在時間に応じた大きさと色とを設定して、レイアウト画像上の各訪問場所の中に図形を表示するようにしてもよい。
【００４８】
図６では、１つの病室の表示例を示している。また、図６では図示の便宜上、表示色の違いを網掛けの違いで表している。図６（ａ）は、訪問回数が比較的多いため図形（例えば、円）の表示色が暖色系に設定され、滞在時間が比較的長いため円の面積が大きく設定されて表示された状態を示している。これに対し、図６（ｂ）は、訪問回数が比較的少ないため表示色が寒色系に設定され、滞在時間が比較的短いため円の面積が小さく設定されて表示された状態を示している。
【００４９】
また、上記実施形態では、特定の看護師を指定して訪問回数や滞在時間を集計する例について説明したが、ユーザによる操作部の操作を通じた指定により、病院内の看護師全体の訪問回数や滞在時間の合計値あるいは平均値などを集計するようにしてもよい。
【００５０】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００５１】
１１  履歴情報取得部
１２  行動分析部
１３  表示制御部
１４  看護師指定部
１５  期間指定部
３１  履歴情報記憶部
１００  行動状況可視化装置
【図１】
0006630234.tif 000002
【図２】
0006630234.tif 000003
【図３】
0006630234.tif 000004
【図４】
0006630234.tif 000005
【図５】
0006630234.tif 000006
【図６】
0006630234.tif 000007